(57)【特許請求の範囲】
【請求項１】
放送局からの放送内容を受信する受信部と、局側に放送受信者のデータを伝送するためにデータの変復調を行うデータ送受信部と、を有する放送受信装置において、
前記受信部は、放送内容と共に送信されてくる放送受信者とのリアルタイム性に関する情報を検出する検出手段と、接続先電話番号の最後にシャープ記号「＃」を付加する付加手段と、を備え、
前記検出手段により前記リアルタイム性に関する情報が検出された場合に、ダイアリングする際に、前記付加手段により前記シャープ記号「＃」を付加した電話番号データを前記データ送受信部に渡すことにより、電話番号の最終桁を検出する桁間タイマーを解除することを特徴とする放送受信装置。
【発明の詳細な説明】
【０００１】
【発明の属する技術分野】
本発明は、双方向データ通信が可能な放送受信装置に関するものである。
【０００２】
【従来の技術】
近年、テレビに代表される放送受信機は、単に放送を受信する機能だけでなく、情報提供者（局側）に放送受信者側（視聴者側）の意図や意見をリアルタイムに伝えることが可能なインタラクティブ（双方向性）情報通信機となりつつある。この様な動向の中、放送受信者側の意図や意見の交換を潤滑に行う技術が幾つか提案されている（特開２００１−２２４００８公報、特開平９−０４６６５５号公報、特開平９−１３５１８３号公報）。
【０００３】
【発明が解決しようとする課題】
これらの双方向通信において、視聴者側の意図や意見は、図５に示されるように、放送受信装置に付帯されているモデムを介して伝送されている。従って、例えば視聴者参加型番組のような、情報提供者（局側）との同期を取らねばならない放送内容の場合、モデム接続を行うまでのタイムラグが問題となる。現在までこの問題に対応できる技術は提案されていない。
このように、リアルタイム性が求められる様な状況下において、情報提供者（局側）と情報受信者（視聴者側）のタイムラグが問題となる場合、そのタイムラグをできるだけ短縮する工夫が必要となる。
そこで、本発明は、モデム接続確立までの時間を短縮し、そのタイムラグをできるだけ短くすることが可能な放送受信装置を提供することを目的とするものである。
【０００４】
【課題を解決するための手段】
上記目的を達成するために、請求項１記載の発明は、放送局からの放送内容を受信する受信部と、局側に放送受信者のデータを伝送するためにデータの変復調を行うデータ送受信部と、を有する放送受信装置において、前記受信部は、放送内容と共に送信されてくる放送受信者とのリアルタイム性に関する情報を検出する検出手段と、接続先電話番号の最後にシャープ記号「＃」を付加する付加手段と、を備え、前記検出手段により前記リアルタイム性に関する情報が検出された場合に、ダイアリングする際に、前記付加手段により前記シャープ記号「＃」を付加した電話番号データを前記データ送受信部に渡すことにより、電話番号の最終桁を検出する桁間タイマーを解除することを特徴とする。
【０００５】
【発明の実施の形態】
以下、図面により本発明の実施の形態を詳細に説明する。請求項１記載の発明は、放送受信装置において、放送内容と共に送信されてくる放送受信者（視聴者）とのリアルタイム性に関する情報を検出し、これに従い後述するモデム(データ送受信部)がダイアリングする際に、接続先電話番号の最後にシャープ記号「＃」を付けたＤＴＭＦ信号を出し、呼接続確立までの時間を短縮する機能を有するものである。
一般的にプッシュ回線において、公衆回線上の交換機や、ターミナルアダプター（ＴＡ）は、電話番号の最終桁を桁間タイマーと呼ばれるタイマーを用いて検出している。このタイマーが働いている間は呼の接続が行われず、待ち状態となる。このタイマーを解除するために、多くの交換機、ＴＡは、電話番号の最後にシャープ「＃」のＤＴＭＦを送信するとこのタイマーが解除されるように設計されている。
そこでこの特徴を生かし、情報提供者（局側）が放送内容中にあらかじめ双方向通信におけるリアルタイム性を示す情報を付加された状況下において、その情報を検出した場合、自動的に電話番号の最後にシャープ「＃」のＤＴＭＦを送信する機能を有するものである。これにより、図１に示されるデータ通信開始までの時間において、呼接続確立待ち時間の短縮が可能となる。
【０００６】
次に、局側から送信されてくる、双方向のデータ量に関する情報を検出し、請求項１記載の放送受信装置において、より接続までのタイムラグを短縮するために、適切なデータ変復調モジュレーションを選択する機能を有するものである。
一般にデータ転送速度が速いほど、接続までの時間（モデム間接続待ち時間）は長くなる傾向がある。従って、転送データ量が少ないにも関わらず、高速な転送速度を選択すると、データ送受信完了が長くなる現象が生じる。
そこで、情報提供者（局側）が放送内容中にあらかじめ双方向通信におけるリアルタイム性および、転送データ量を示す情報が付加された状況下において、その情報を検出し、適切なデータ転送速度（モジュレーション）に設定する機能を有するものである。これにより、図１に示されるデータ通信開始までの時間において、モデム間接続待ち時間の短縮が可能となる。
さらに、放送受信装置において、リアルタイム性情報の検出の有無に関わらず、接続先電話番号の最後にシャープ記号「＃」を付けたＤＴＭＦ信号を出し、呼接続確立までの時間を短縮する機能を有するものである。
【０００７】
以下に本発明の内容を図面に基づいて具体的に説明する。図２は本発明の第１の実施の形態に係る放送システムの構成図である。この放送システムは衛星を用いている。図中で、１は情報提供者（放送局）、２は放送データを送信するアンテナ、３は衛星、４は放送受信機(受信部)、５は視聴者側の意図や意見を局側に送信するためのモデム(データ送受信部)を表す。
上記の放送システムにおいて、放送局１から送信された放送内容はアンテナ２、衛星３を経由して情報受信者側の放送受信機４に伝送される。ここで、局側では放送受信者と同期が必要である場合、放送内容と共に、リアルタイム性を示す情報を付加して伝送する。放送受信機４はこの情報を検出し、ダイアリングを行う際に、モデム５に電話番号の最後にシャープ記号「＃」を付けた電話番号データを渡し、ダイアリングするものである。
【０００８】
図３は本発明の第２の実施の形態に係る放送システムの構成図である。この放送システムは衛星を用いている。図中で、１は情報提供者（放送局）、２は放送データを送信するアンテナ、３は衛星、４は放送受信機、５は視聴者側の意図や意見を局側に送信するためのモデムを表す。
上記の放送システムにおいて、放送局１から送信された放送内容はアンテナ２、衛星３を経由して情報受信者側の放送受信機４に伝送される。ここで、局側では放送受信者と同期が必要である場合、放送内容と共に、リアルタイム性と視聴者側が扱わなければならないデータ量を示す情報を付加して伝送する。放送受信機４はこの情報を検出し、ダイアリングを行う際に、モデム５に適切なモジュレーション設定を渡し、ダイアリングするものである。
図４は本発明の第３の実施の形態に係る放送システムの構成図である。この放送システムは衛星を用いている。図中で、１は情報提供者（放送局）、２は放送データを送信するアンテナ、３は衛星、４は放送受信機、５は視聴者側の意図や意見を局側に送信するためのモデムを表す。
上記の放送システムにおいて、放送局１から送信された放送内容はアンテナ２、衛星３を経由して情報受信者側の放送受信機４に伝送される。放送受信機４が局側とデータ送受信を行う必要が生じた場合、モデム５に電話番号の最後にシャープ記号「＃」を付けた電話番号データを渡し、ダイアリングするものである。
【０００９】
【発明の効果】
以上説明したように、請求項１の放送受信装置においては、呼接続確立までの時間を短縮し、放送内容と、放送受信者とのタイムラグを短縮することが可能である。
【図面の簡単な説明】
【図１】ダイアリングからデータ送受信開始までの手順を示す図である。
【図２】本発明の第１の実施の形態に係る放送システムの構成図である。
【図３】本発明の第２の実施の形態に係る放送システムの構成図である。
【図４】本発明の第３の実施の形態に係る放送システムの構成図である。
【図５】一般的な放送システムの構成図である。
【符号の説明】
１  情報提供者(放送局)
２  アンテナ
３  衛星
４  放送受信機(受信部)
５  モデム(データ送受信部)
【図１】
0003984855.tif 000002
【図２】
0003984855.tif 000003
【図３】
0003984855.tif 000004
【図４】
0003984855.tif 000005
【図５】
0003984855.tif 000006